(57)【特許請求の範囲】
【請求項１】
外壁外装又は吸音壁構築又は地面覆工に用いる苔緑化ブロックであって；表裏面に格子編みされたネットを有すると共に、両ネット間に延びて両ネットの経糸又は緯糸間を連絡する無数の繊維（パイル）を有し、両ネット間に粗空隙を形成して成るラッセル織成されたマットを用い；該ラッセル織成マットの上記両ネット間の粗空隙内に種苔と植生土壌を保有せしめて苔植生マットを形成し；該苔植生マットを上記ラッセル織成マットの裏面側ネットを以って連通空隙構造のポーラス構造ブロックの外表面に直接層着し、ポーラス構造ブロックと苔植生マットの界面をフリー界面としたことを特徴とする苔緑化ブロック。
【請求項２】
上記ポーラス構造ブロックとして、ガラス焼成発泡粒子を凝結して層構造にしたものを用いることを特徴とする請求項１記載の苔緑化ブロック。
【請求項３】
上記苔植生マットはポーラス構造ブロックの外表面に止め具によって点付層着したことを特徴とする請求項１記載の苔緑化ブロック。
【発明の詳細な説明】
【０００１】
【発明の属する技術分野】
本発明は住居建物の外壁の緑化対策として苔を選択した住居建物の外壁外装用ブロックと、同苔を選択した高速道路等における騒音の減音と緑化を図る吸音塀構築用ブロックと、同苔を選択した道路両側の斜面や河岸や擁壁の緑化を図る地面覆工用ブロックとして用いる苔緑化ブロックに係る。
【０００２】
【従来の技術と発明が解決しようとする課題】
近年環境保全の要請から住居建物の緑化、その具体策として屋上緑化が実現の端緒についている。他方住居建物の外壁の緑化については試行段階にあり、これらを建築工事において適切に実現する工法が模索されている。
【０００３】
同様に車両や航空機の騒音対策として、例えば高速道路の路肩に吸音板自身に種々の吸音構造を付加した吸音塀が構築されているが、従来多用されている金属やセラミック等の板に吸音構造を付加したもの等では外観が無機質であることと、吸音効果において必ずしも充分とは言い難いこと等の課題を抱えており、吸音効果の向上と緑化を適正に実現する工法が模索されている。
【０００４】
又道路両側の斜面や河岸面や擁壁施工面等の地面を覆うように集合敷設して緑化を図る地面覆工用ブロックとしては、各ブロックに地面を露出させ植物の生育を可能とする窓等を設けるブロック構造が主体となっており、ブロックによる覆工目的を減殺する。又地面覆工用ブロックの表面から芝生を発芽させるようにした覆工ブロックが試行されているが、その管理と緑化維持に難点があり、芝生が長く延びて外観を損ない、経年的に安定な緑化を図る植生体としては適正とは言い難い。
【０００５】
【課題を解決するための手段】
本発明は緑化植生体として苔を選択した、外壁外装又は吸音壁構築又は地面覆工に用いる苔緑化ブロックを提供する。
【０００６】
この苔緑化ブロックは、表裏面に格子編みされたネットを有すると共に、両ネット間に延びて両ネットの経糸又は緯糸間を連絡する無数の繊維（パイル）を有し、両ネット間に粗空隙を形成して成るラッセル織成されたマットを用い、該ラッセル織成マットの上記両ネット間の粗空隙内に種苔と植生土壌を保有せしめて苔植生マットを形成し、該苔植生マットを連通空隙構造のポーラス構造ブロックの外表面に上記ラッセル織成マットの裏面側ネットを以って直接層着し、ポーラス構造ブロックと苔植生マットの界面をフリー界面とした構造を有する。
【０００７】
上記種苔は両ネットを通しての適当な水分によりネットとパイルに絡んで生育し、ネット表面に苔層を形成する。
【０００８】
上記苔緑化ブロックは自然環境の中で経年的に安定な苔緑化状態を形成する。
【０００９】
上記ポーラス構造ブロックとして、ガラス焼成発泡粒子を凝結して層構造にしたものを用いる。このガラス焼成発泡粒子は粒子自身が気泡体であるため極めて軽量であり、且つ耐候性に富み適性である。
【００１０】
上記苔植生マットはポーラス構造ブロックの外表面に止め具によって点付層着し、ポーラス構造ブロック外表面への苔の定着を促進した。
【００１１】
【発明の実施の形態】
〈第１実施形態〉
第１実施形態は図１，図３に示すように、多数のブロック１を住居建物の外壁２の外表面を覆うように集合張りして外装壁３を形成する場合の緑化ブロック構造に係り、その第１実施形態は上記ブロック１としてポーラス構造ブロック１を用い、緑化のための植生体として自然環境の中で経年的に安定な緑化状態を示す苔４を選択した。
【００１２】
そして図９，図１０に示す上記ポーラス構造ブロック１の外表面に種苔４′と植生土壌５とを保有する苔植生マット６を層着し上記外装壁３を形成する。
【００１３】
上記第１実施形態における外壁２の代表例としては、図１に概示する住居建物の躯体を形成する側壁である。又は図３に概示するコンクリートビルディングの平屋根コンクリートスラブである。即ち平屋根コンクリートスラブの上面に多数のブロック１を敷設して歩行面を形成する工法が広く行われているが、これら歩行面の一部を上記苔緑化ブロックで形成し天日に対する輻射熱を吸収し、平屋根コンクリートスラブ（外壁）の防水層を保護し、且つ経年的緑化を達成する。上記平屋根に限らず流れ屋根においても同様の工法が可能である。
【００１４】
上記第１実施形態における住居建物とは、オフィス、倉庫、工場等を含み、殊に低層住居建物の外壁２の緑化に適し、各ポーラス構造ブロック１は図２に示すように外壁２にアンカーボルト１３又は／及び接着材（モルタルを含む）にて張り付ける。
【００１５】
〈第２実施形態〉
第２実施形態は図４に示すように、多数のブロック１を地面又は路面８に縦積みするか、図５，図６に示すように、地面又は路面８に立設されたフレーム又は塀本体９の側面に集合張りして吸音塀１０を形成する場合の緑化ブロックの構造に係り、上記ブロック１としてポーラス構造ブロック１を用い、緑化のための植生体として自然環境の中で経年的に安定な緑化状態を示す苔４を選択した。
【００１６】
そして図９，図１０に例示するように、上記ポーラス構造ブロック１の外表面に種苔４′と植生土壌５とを保有する苔植生マット６を層着し上記吸音塀１０を形成する。
【００１７】
上記第２実施形態におけるフレーム９は、図６に示すブロック１を担持させる柱や横桟等の支持骨であり、又塀本体９は図５に示すブロック塀やコンクリート塀等であり、図６に示すように、上記ブロック１はこれらフレーム９の側面にボルト１４止めし、又図２と同様、塀本体９の側面にアンカーボルト１３にて張り付ける。
【００１８】
〈第３実施形態〉
第３実施形態は図７に示すように、多数のブロック１を地面１１を覆うように集合敷設して覆工壁１２を形成する場合の緑化ブロックの構造に係り、上記ブロック１としてポーラス構造ブロック１を用い、緑化のための植生体として自然環境の中で経年的に安定な緑化状態を示す苔を選択した。
【００１９】
そして図９，図１０に例示する上記ポーラス構造ブロック１の外表面に種苔４′と植生土壌５とを保有する苔植生マット６を層着し上記覆工壁１２を形成する。
【００２０】
上記第３実施形態におけるポーラス構造ブロック１は、その裏面（敷設面）にコンクリートブロック１′を層着し、重量を付加することができる。即ちコンクリートブロック層１′とポーラス構造ブロック層１の複合体にし、ポーラス構造ブロック層１の外表面に上記苔植生マット６を層着した構造にする。
【００２１】
又上記第３実施形態における地面１１とは、図７Ａに示す道路両側の斜面や図７Ｂに示す河岸面や擁壁施工面や歩行地面等を意味する。
【００２２】
〈第１乃至第３実施形態に共通な実施形態〉
（１）上記第１実施形態における住居建物の外壁外装用ブロックと、第２実施形態における吸音塀構築用ブロックと、第３実施形態における地面覆工用ブロックにおける上記ポーラス構造ブロック１としては、図８に示す如き粗粒子１５を凝結して層構造にし粗粒子１５間に連通空隙７を有する通水構造のものを用い、上記軽量性を確保しつつブロック１表面への苔層の同体化を促進した。
【００２３】
上記粗粒子１５としてはガラス焼成発泡粒子が適性である。このガラス焼成発泡粒子は粒子自身が気泡体であるため極めて軽量であり、且つ耐候性に富み適性である。又は実施に応じ発泡コンクリート粒子又は発泡合成樹脂粒子を上記粗粒子１５として用いる。
【００２４】
これら粗粒子１５を凝結してブロック化する手段として、粗粒子１５を、貧配合したセメントと混練し、型込めして圧縮する等して形成される。粗粒子１５相互はセメントを接着材として結合し、粗粒子１５間にブロック１の表裏面において開口する水を通す無数の連通空隙７を持つ。この空隙７が苔４の健全な育成を助ける。
【００２５】
（２）上記ポーラス構造ブロック１は外表面に上記種苔４′を保有させて現場施工に供するか、又は種苔４′の生育を待ち苔４の層を形成して現場施工に供する。各実施形態は何れの場合も包含する。
【００２６】
（３）又上記第１実施形態における住居建物の外壁外装用ブロックと、第２実施形態における吸音塀構築用ブロックと、第３実施形態における地面覆工用ブロックにおける上記苔植生マット６のマットとしては、図９に示す如き合成樹脂繊維等を嵩高に織成してなる織成マットを用いる。
【００２７】
上記嵩高織成マットとしては公知のラッセル織成された織成マットを用いる。この合成樹脂繊維をラッセル織成した織成マットは、表裏面に格子編みされたネット１６と両ネット１６間に延びて両ネット１６の経糸又は緯糸間を連絡する無数の繊維（パイル）１７を有し、両ネット１６間に粗空隙を形成している。
【００２８】
図９に示すようにこの両ネット１６間の粗空隙内に上記種苔４′と植生土壌５を保有せしめ苔植生マット６を形成する。図１０に示すように、種苔４′は両ネット１６を通しての適当な水分によりネット１６とパイル１７に絡んで生育し、ネット１６表面に苔層を形成する。
【００２９】
上記苔植生マット６は図９，図１０に示すように、ポーラス構造ブロック１の外表面に上記ラッセル織成マットの裏面側ネットを以って直接層着する。
【００３０】
（４）又上記第１実施形態における住居建物の外壁外装用ブロックと、第２実施形態における吸音塀構築用ブロックと、第３実施形態における地面覆工用ブロックにおける上記苔植生マット６は、ブロック１表面に接着材により接着する方法を排し、図１１に示すように苔植生マットの要所を螺子２０等の止め具によってポーラス構造ブロック１の外表面に点付層着してブロック１とマット６の界面をフリー界面とし、マット６の剥離防止効果を経年的に維持しつつ、接着材の非介在によりポーラス構造ブロック１の表面への苔４の定着を促進した。
【００３１】
（５）又上記第１実施形態における住居建物の外壁外装用ブロックと、第２実施形態における吸音塀構築用ブロックと、第３実施形態における地面覆工用ブロックにおける上記ポーラス構造ブロック１は、図１２に示すように、周縁部に枠状に流れ止め壁２１を設け、該流れ止め壁２１内側のポーラス構造ブロック１の表面に上記苔植生マット６を層着し、流れ止め壁２１により雨水等による苔４の流出、殊に種苔４′と植生土壌５の流出を防止する。
【００３２】
又は図１３に示すように、上記流れ止め壁２１を有しない平ブロックを用い、該平ブロックの外表面に苔植生マット６を層着する。
【００３３】
（６）又上記第１実施形態における住居建物の外壁外装用ブロックと、第２実施形態における吸音塀構築用ブロックと、第３実施形態における地面覆工用ブロックにおける上記ポーラス構造ブロック１の外表面には、図１４，図１５に示すように、複数の植え込み溝２２を並設し、該溝２２内に上記苔植生マット６を入れ込み層着して苔４の定着性を確保すると共に、上記種苔４′及び植生土壌５の流出防止効果を高め、又溝２２内から該溝２２に隣接するポーラス構造ブロック１の外表面への苔４の生育を図り苔層を形成せしめるようにする。
【００３４】
（７）又上記第１実施形態における住居建物の外壁外装用ブロックと、第２実施形態における吸音塀構築用ブロックと、第３実施形態における地面覆工用ブロックにおける上記ポーラス構造ブロック１に、図１６，図１７に例示する、雨水案内溝２３を形成し、苔植生マット６内に過度の雨水が流入して種苔４′及び植生土壌５が流出する問題に対処した。
【００３５】
例えば上記ブロック１の周縁部にフランジ２４を設け、隣接するブロック１間においてこのフランジ２４を突き合わせることにより、フランジ２４上、即ち上記ブロック１の周縁部において連通せる雨水案内溝２３を形成する。
【図面の簡単な説明】
【図１】住居建物の側壁に苔緑化ブロックを集合張りして外装壁を形成した状態を概示する断面図。
【図２】上記ブロックの取り付け構造を概示する断面図。
【図３】住居建物の屋上コンクリートスラブ上に苔緑化ブロックを集合張りして外装壁を形成した状態を概示する断面図。
【図４】苔緑化ブロックを縦積みして吸音塀を構築した状態を概示する断面図。
【図５】苔緑化ブロックを塀本体に集合張りして高速道路の吸音塀を構築した状態を概示する断面図。
【図６】苔緑化ブロックをフレームに集合張りして高速道路の吸音塀を構築した状態を概示する断面図。
【図７】Ａは道路脇の斜面に緑化ブロックを集合敷設して覆工壁を形成した状態を概示する断面図、Ｂは河岸の斜面に緑化ブロックを集合敷設して覆工壁を形成した状態を概示する断面図。
【図８】Ａは上記苔緑化ブロックのブロック本体の断面図、Ｂは同Ａ部の拡大図。
【図９】種苔を保有する苔植生マットを層着して形成した苔緑化ブロックを概示する断面図。
【図１０】図９の苔植生マットから苔が発芽した状態を概示する苔緑化ブロックの断面図。
【図１１】苔植生マットを螺子により層着した状態を概示する苔緑化ブロックの断面図。
【図１２】流れ止め壁を形成した苔緑化ブロックを概示する断面図。
【図１３】流れ止め壁を有しない苔緑化ブロックを概示する断面図。
【図１４】植え込み溝に苔植生マットを層着した苔緑化ブロックを概示する正面図。
【図１５】図１４におけるブロックの断面図。
【図１６】雨水案内溝を形成した苔緑化ブロックを概示する正面図。
【図１７】図１６におけるブロックの断面図。
【符号の説明】
１      ポーラス構造ブロック
２      外壁
３      外装壁
４      苔
４′    種苔
５      植生土壌
６      苔植生マット
７      連通空隙
８      地面又は路面
９      フレーム又は塀本体
１０    吸音塀
１１    地面
１２    覆工壁
１３    アンカーボルト
１４    ボルト
１５    粗粒子
１６    ネット
１７    繊維
２０    螺子
２１    流れ止め壁
２２    植え込み溝
２３    雨水案内溝
２４    フランジ
【図１】
0003539921.tif 000002
【図２】
0003539921.tif 000003
【図３】
0003539921.tif 000004
【図４】
0003539921.tif 000005
【図５】
0003539921.tif 000006
【図６】
0003539921.tif 000007
【図７】
0003539921.tif 000008
【図８】
0003539921.tif 000009
【図９】
0003539921.tif 000010
【図１０】
0003539921.tif 000011
【図１１】
0003539921.tif 000012
【図１２】
0003539921.tif 000013
【図１３】
0003539921.tif 000014
【図１４】
0003539921.tif 000015
【図１５】
0003539921.tif 000016
【図１６】
0003539921.tif 000017
【図１７】
0003539921.tif 000018